【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
１または複数のクライアント・デバイスからの通信を受信する工程であって、各通信が、ソーシャル・ネットワーキング・システムのユーザを識別するユーザ情報とクライアント・デバイスの１または複数の特性を記述する情報とを含む、通信受信工程と、
受信した各通信について、
前記クライアント・デバイスの１または複数の特性を記述する前記情報に基づいて、前記クライアント・デバイスのタイプを判定するタイプ判定工程、
前記ユーザ情報によって識別されるユーザが前記クライアント・デバイスを通じて前記ソーシャル・ネットワーキング・システムにアクセスする頻度を判定する工程、および
前記頻度が閾値より大きいとき、前記ユーザ情報によって識別される前記ユーザが前記クライアント・デバイスの所有者であると判定する工程と、
受信した前記通信によって識別される前記ユーザの少なくとも一部によって所有されると判定される特定のタイプのクライアント・デバイスを選択する工程と、
前記ソーシャル・ネットワーキング・システムにおいて提示される広告への前記ユーザの前記一部の１または複数の接触を識別する接触識別工程と、
コンピューティング・デバイスを用いて、前記１または複数の接触に基づいて、前記広告について複数のメトリックを生成する工程であって、前記メトリックは、前記特定のタイプの前記クライアント・デバイスの所有者に関する前記広告の有効性を示す、メトリック生成工程と、
を備える、コンピュータ実装される方法。
【請求項２】
前記１または複数の特性のうちの少なくとも１つが、クライアント・デバイス・モデル、クライアント・デバイス製品番号、クライアント・デバイス・製造者、およびクライアント・デバイス・オペレーティング・システムからなるグループから選択される、請求項１に記載のコンピュータ実装される方法。
【請求項３】
前記クライアント・デバイスの前記１または複数の特性を記述する前記情報が、前記クライアント・デバイス上にインストールされており、かつ前記ソーシャル・ネットワーキング・システムにアクセスするように構成されているソフトウェア・アプリケーションを識別する情報を含む、請求項１に記載のコンピュータ実装される方法。
【請求項４】
メトリック生成工程が、
前記１または複数のユーザによって実行される１または複数のユーザ・アクションを識別する工程と、
前記特定のタイプのクライアント・デバイスの所有者であると判定される前記１または複数のユーザによって実行される前記ユーザ・アクションに基づいて、メトリックを生成する工程と
を備える、請求項１に記載のコンピュータ実装される方法。
【請求項５】
前記複数のメトリックのうちの少なくとも１つが、前記特定のタイプのクライアント・デバイスの所有者であると判定される前記１または複数のユーザへの、前記１または複数の広告の接触の数を記述する、請求項１に記載のコンピュータ実装される方法。
【請求項６】
１または複数のクライアント・デバイスからの通信を受信する工程であって、各通信が、ソーシャル・ネットワーキング・システムのユーザを識別するユーザ情報とクライアント・デバイスの１または複数の特性を記述する情報とを含む、通信受信工程と、
受信した各通信について、
前記クライアント・デバイスの１または複数の特性を記述する前記情報に基づいて、前記クライアント・デバイスのタイプを判定するタイプ判定工程、
前記ユーザ情報によって識別されるユーザが前記クライアント・デバイスを通じて前記ソーシャル・ネットワーキング・システムにアクセスする頻度を判定する工程、および、
前記頻度が閾値より大きいとき、前記ユーザ情報によって識別される前記ユーザが前記クライアント・デバイスの所有者であると判定する工程と、
受信した前記通信によって識別される前記ユーザの少なくとも一部によって所有されると判定される特定のタイプのクライアント・デバイスを選択する工程と、
前記ユーザ前記一部に対し前記ソーシャル・ネットワーキング・システムに提示される広告を識別する広告識別工程と、
前記ユーザの前記一部に関連付けられているデータを取り出す工程であって、取り出されるデータが、購入トランザクション・データ、アンケート・データ、およびユーザ・アクティビティ・データからなるグループから選択される、データ取出工程と、
コンピューティング・デバイスを用いて、前記ユーザの前記一部についての前記取り出されるデータに少なくとも部分的に基づいて、前記広告に関連付けられているメトリックを生成する工程であって、前記メトリックは、前記特定のタイプの前記クライアント・デバイスの所有者に関する前記広告の有効性を示す、メトリック生成工程と
を備える、コンピュータ実装される方法。
【請求項７】
前記特定のタイプのクライアント・デバイスが、少なくとも、同じクライアント・デバイス・モデル、同じクライアント・デバイス製造番号、または同じクライアント・デバイス製造者を共有する、請求項６に記載のコンピュータ実装される方法。
【請求項８】
前記メトリックが、前記特定のタイプのクライアント・デバイスを所有すると各々識別されるユーザによる製品の購入を促進することにおける前記広告の有効性を示す、請求項６に記載のコンピュータ実装される方法。
【請求項９】
広告識別工程が、
前記ソーシャル・ネットワーキング・システムによって維持されるユーザ・アカウントに関連付けられているユーザ・プロフィールに基づいて、ユーザの位置を判定する工程と、
前記１または複数の広告からの広告についての位置ターゲット決定基準を判定する工程と、
前記ユーザの前記位置が、前記広告の前記位置ターゲット決定基準の閾値距離内である場合に、前記広告が前記ユーザに提示されることを判定する工程と
を備える、請求項６に記載のコンピュータ実装される方法。
【請求項１０】
命令を含むコンピュータ可読記憶媒体であって、プロセッサによる実行時、前記プロセッサが、
１または複数のクライアント・デバイスからの通信を受信する工程であって、各通信が、ソーシャル・ネットワーキング・システムのユーザを識別するユーザ情報とクライアント・デバイスの１または複数の特性を記述する情報とを含む、通信受信工程と、
受信した各通信について、
前記クライアント・デバイスの１または複数の特性を記述する前記情報に基づいて、前記クライアント・デバイスのタイプを判定するタイプ判定工程、
前記ユーザ情報によって識別されるユーザが前記クライアント・デバイスを通じて前記ソーシャル・ネットワーキング・システムにアクセスする頻度を判定する工程、および、
前記頻度が閾値より大きいとき、前記ユーザ情報によって識別される前記ユーザが前記クライアント・デバイスの所有者であると判定する工程と、
受信した前記通信によって識別される前記ユーザの少なくとも一部によって所有されると判定される特定のタイプのクライアント・デバイスを選択する工程と、
前記ソーシャル・ネットワーキング・システムにおいて提示される広告への前記ユーザの前記一部の１または複数の接触を識別する接触識別工程と、
コンピューティング・デバイスを用いて、前記１または複数の接触に基づいて、前記広告について複数のメトリックを生成する工程であって、前記メトリックは、前記特定のタイプの前記クライアント・デバイスの所有者に関する前記広告の有効性を示す、メトリック生成工程と、を行う、コンピュータ可読記憶媒体。
【請求項１１】
前記１または複数の特性のうちの少なくとも１つが、クライアント・デバイス・モデル、クライアント・デバイス製品番号、クライアント・デバイス・製造者、およびクライアント・デバイス・オペレーティング・システムからなるグループから選択される、請求項１０に記載のコンピュータ可読記憶媒体。
【請求項１２】
前記クライアント・デバイスの前記１または複数の特性を記述する前記情報が、前記クライアント・デバイス上にインストールされており、かつ前記ソーシャル・ネットワーキング・システムにアクセスするように構成されているソフトウェア・アプリケーションを識別する情報を含む、請求項１０に記載のコンピュータ可読記憶媒体。
【請求項１３】
メトリック生成工程が、
前記１または複数のユーザによって実行される１または複数のユーザ・アクションを識別する工程と、
前記特定のタイプのクライアント・デバイスの所有者であると判定される前記１または複数のユーザによって実行される前記ユーザ・アクションに基づいて、メトリックを生成する工程と
を備える、請求項１０に記載のコンピュータ可読記憶媒体。
【請求項１４】
前記複数のメトリックのうちの少なくとも１つが、前記特定のタイプのクライアント・デバイスの所有者であると判定される前記１または複数のユーザへの、前記１または複数の広告の接触の数を記述する、請求項１０に記載のコンピュータ可読記憶媒体。